(57)【要約】【課題】トレーと蓋体とからなる従来と同様な構造でありながら、気密性の高い構造をしたリーフ状物品用ケースを提供すること。【解決手段】トレー１０は底板部１１の周囲に直立した前後及び左右の壁を有するとともに、底板部１１の前部は前壁の上縁に向かう上り傾斜部分１１ａを形成しており、蓋体２０は天板部２１の周囲にトレー１０における前後及び左右の壁の外側にそれぞれ隙間なく嵌合する前後及び左右のフランジを有するとともに、天板部２１の前部には指先が入るサイズの開口２６が設けられており、蓋体２０の前フランジにはその下側に一体ヒンジ２７を介して蓋部分２８が延設され、その蓋部分２８は一体ヒンジ２７を中心に回動して蓋体の開口２６に隙間なく嵌合し、蓋体２０における開口２６の後側には凹部２１ａが設けられ、その凹部２１ａに対応して蓋部分２８の先に指掛け２９が設けられている。【選択図】        図２
2004231219.tif 000002
【特許請求の範囲】
【請求項１】
四角状のトレーとそれに被さる蓋体との２パーツからなり、トレーは底板部の周囲に直立した前後及び左右の壁を有するとともに、底板部の前部は前壁の上縁に向かう上り傾斜部分を形成しており、蓋体は天板部の周囲にトレーにおける前後及び左右の壁の外側にそれぞれ隙間なく嵌合する前後及び左右のフランジを有するとともに、天板部の前部には前フランジを一辺とする矩形状で指先が入るサイズの開口が設けられており、蓋体の前フランジにはその下側に一体ヒンジを介して蓋部分が延設され、その蓋部分は一体ヒンジを中心に回動して蓋体の開口に隙間なく嵌合するようになっており、蓋体における開口の後側には凹部が設けられ、その凹部に対応して蓋部分の先に指掛けが設けられていることを特徴とするリーフ状物品収納用ケース。
【発明の詳細な説明】
【０００１】
【発明の属する技術分野】
本発明は、フィルム状やシート状、すなわちリーフ状の物品を複数枚重ねた状態で収納し、指操作により１枚ずつ取り出すことのできるリーフ状物品用ケースに関するものである。
【０００２】
【従来の技術】
従来より、フィルム状やシート状をした菓子類を始めとして、紙せっけん、脂取り紙、ティッシュペーパー等の薄物雑貨類などを複数枚積み重ねた状態で収納し、使用時に際して中身を一枚ずつ指操作で取り出すようになった四角状で薄型のリーフ状物品用ケースが知られている（例えば、特許文献１参照。）。
【０００３】
【特許文献１】
実用新案登録第２５２７５１１号公報
【０００４】
【発明が解決しようとする課題】
従来の技術で述べたタイプのリーフ状物品用ケースは、通常は携帯用として使用されており、中身を取り出すに際しては、蓋の部分を開けてから指先の操作で中身を押し出すようになっている。そして、トレーに中身を入れて蓋体を被せる構造であり、しかも蓋体には開閉する蓋部分が設けられているため、気密性の高い構造にはなっておらず、したがって湿気を嫌う物品を収納して製品化することは困難であった。
【０００５】
本発明は、このような問題点に鑑みてなされたものであり、その目的とするところは、トレーと蓋体とからなる従来と同様な構造でありながら、気密性の高い構造をしたリーフ状物品用ケースを提供することにある。
【０００６】
【課題を解決するための手段】
上記の目的を達成するため、本発明のリーフ状物品用ケースは、四角状のトレーとそれに被さる蓋体との２パーツからなり、トレーは底板部の周囲に直立した前後及び左右の壁を有するとともに、底板部の前部は前壁の上縁に向かう上り傾斜部分を形成しており、蓋体は天板部の周囲にトレーにおける前後及び左右の壁の外側にそれぞれ隙間なく嵌合する前後及び左右のフランジを有するとともに、天板部の前部には前フランジを一辺とする矩形状で指先が入るサイズの開口が設けられており、蓋体の前フランジにはその下側に一体ヒンジを介して蓋部分が延設され、その蓋部分は一体ヒンジを中心に回動して蓋体の開口に隙間なく嵌合するようになっており、蓋体における開口の後側には凹部が設けられ、その凹部に対応して蓋部分の先に指掛けが設けられていることを特徴としている。
【０００７】
【発明の実施の形態】
以下、図面に基づいて本発明の実施の形態を説明する。
【０００８】
図１は本発明に係るリーフ状物品収納ケースの一例を示す斜視図、図２は図１に示すリーフ状物品収納ケースを構成するトレーと蓋体を分離した状態で示す斜視図、図３はトレーの平面図と断面図、図４は蓋体の平面図と断面図と底面図、図５は図１のＸ−Ｘ線を通る断面図、図６は図１のＹ−Ｙ線を通る断面図、図７は開けた状態を図５に対応して示した断面図である。
【０００９】
本発明のリーフ状物品用ケースは、四角状のトレー１０とそれに被さる蓋体２０との２パーツで構成されている。これらのトレー１０と蓋体２０はいずれも樹脂成形品からなり、成形樹脂としてはポリプロピレン、ポリエチレン、ポリエチレンテレフタレート等が用いられる。
【００１０】
トレー１０は、底板部１１の周囲に直立した前壁１２、後壁１３、左壁１４、右壁１５を有した浅い形状をしており、その底板部１１の前部は前壁１２の上縁に向かう上り傾斜部分１１ａを形成している。また、前壁１２の中央下部には、蓋体２０と合わせる場合の向きを規定する突条１２ａを設けてある。
【００１１】
蓋体２０は、天板部２１の周囲に前フランジ２２、後フランジ２３、左フランジ２４、右フランジ２５を有しており、これらのフランジ２２〜２５はトレー１０における前壁１２、後壁１３、左壁１４、右壁１５の外側にそれぞれ隙間なく嵌合するようになっている。
【００１２】
トレー１０に対して蓋体２０が隙間なく嵌合するために、蓋体２０のフランジ２２〜２５の内周面はトレー１０の壁１２〜１５の外周面と同寸法で成形されている。そして、蓋体２０の左フランジ２４と右フランジ２５の内面にそれぞれ凹所２４ａ，２５ａが設けられ、トレー１０の左壁１４と右壁１５の外面にそれぞれ突条１４ａ，１５ａが設けられており、トレー１０に蓋体２０を被せて押し込むことにより、図６に示す如く凹所２４ａ，２５ａに突条１４ａ，１５ａが嵌まり込んで係止するようになっている。
【００１３】
また、蓋体２０における天板部２１の前部には前フランジ２２を一辺とする矩形状で指先が入るサイズの開口２６が設けられている。そして、蓋体２０の前フランジ２２にはその下側に一体ヒンジ２７を介して蓋部分２８が延設され、その蓋部分２８は一体ヒンジ２７を中心に回動して蓋体２０の開口２６に隙間なく嵌合するようになっている。なお、図示の例では一体ヒンジ２７を曲げやすくするため、中央部を抜いた形状でヒンジを設けてある。
【００１４】
蓋体２０の蓋部分２８が開口２６に隙間なく嵌合するための具体的な構造は次のようである。すなわち、前フランジ２２は天板部２１より蓋部分２８の厚み分だけ低くなっており、開口２６には一体ヒンジ２７のない三方に前フランジ２２の上縁と同一面を形成するように突縁２６ａが設けられるとともに、蓋部分２８の裏側周縁には前フランジ２２の上縁と開口２６の突縁２６ａとに内側から嵌まる形状で周回状の突条２８ａが設けられており、その突条２８ａの途中における左右２箇所には蓋部分２８を閉じた時に開口２６の突縁２６ａの下面に引っ掛かるフック２８ｂが設けられている。これらのフック２８ｂは、蓋部分２８を開けた時に取り出すリーフ状物品が引っ掛からないように図示の如く開口２６側に傾斜部分を設けてある。また、蓋部分２８を開けるために、蓋体２０における開口２６の後側には凹部２１ａが設けられ、その凹部２１ａに対応して蓋部分２８の先に指掛け２９が設けられている。
【００１５】
このような構成からなるトレー１０と蓋体２０からなるケースは、あらかじめ蓋体２０の蓋部分２８を閉じた状態としておき、リーフ状物品を入れたトレー１０にその蓋体２０を被せることで図１に示すような収納状態となる。トレー１０に蓋体２０を被せるに際し、トレー１０における前壁１２の下部中央に突条１２ａがあるので、向きを間違えることがない。そして、この収納状態において、ケースは気密性の高い状態となる。
【００１６】
中身を取り出すに際しては、上面にある指掛け２９に指先を引っ掛けて蓋部分２８を開け、この蓋部分２８を開けた状態でトレー１０の中のリーフ状物品を上り傾斜部分１１ａに沿って上から順に指先で引き出すようにする。
【００１７】
また、閉じる時は、蓋部分２８を回動して開口２６に合わせて上から押し込むようにする。これにより、蓋部分２８の裏側にあるフック２８ｂが開口２６の突縁２６ａの下面に引っ掛かって、気密性の高い状態で閉じることができる。
【００１８】
以上、具体例を挙げて本発明の実施の形態について説明してきたが、本発明によるリーフ状物品用ケースは、上記実施の形態に何ら限定されるものではなく、本発明の趣旨を逸脱しない範囲において種々の変更が可能であることは当然のことである。
【００１９】
【発明の効果】
本発明のリーフ状物品用ケースは、四角状のトレーとそれに被さる蓋体との２パーツからなり、トレーは底板部の周囲に直立した前後及び左右の壁を有するとともに、底板部の前部は前壁の上縁に向かう上り傾斜部分を形成しており、蓋体は天板部の周囲にトレーにおける前後及び左右の壁の外側にそれぞれ隙間なく嵌合する前後及び左右のフランジを有するとともに、天板部の前部には指先が入るサイズの開口が設けられており、蓋体の前フランジにはその下側に一体ヒンジを介して蓋部分が延設され、その蓋部分は一体ヒンジを中心に回動して蓋体の開口に隙間なく嵌合するようになっており、蓋体における開口の後側には凹部が設けられ、その凹部に対応して蓋部分の先に指掛けが設けられていることを特徴としているので、蓋体の蓋部分を閉じた状態でケース内を気密性の高い状態にできることから、トレーと蓋体とからなる従来と同様な構造でありながら、気密性の高い構造をしたケースを提供でき、湿気を嫌うような物品を収納して製品化することができる。
【図面の簡単な説明】
【図１】本発明に係るリーフ状物品収納ケースの一例を示す斜視図である。
【図２】図１に示すリーフ状物品収納ケースを構成するトレーと蓋体を分離した状態で示す斜視図である。
【図３】トレーの平面図と断面図である。
【図４】蓋体の平面図と断面図と底面図である。
【図５】図１のＸ−Ｘ線を通る断面図である。
【図６】図１のＹ−Ｙ線を通る断面図である。
【図７】図１に示すリーフ状物品収納ケースを開けた状態で図５に対応して示した断面図である。
【符号の説明】
１０  トレー
１１  底板部
１１ａ  上り傾斜部分
１２  前壁
１２ａ  突条
１３  後壁
１４  左壁
１４ａ  突条
１５  右壁
１５ａ  突条
２０  蓋体
２１  天板部
２１ａ  凹部
２２  前フランジ
２３  後フランジ
２４  左フランジ
２４ａ  凹所
２５  右フランジ
２５ａ  凹所
２６  開口
２６ａ  突縁
２７  一体ヒンジ
２８  蓋部分
２８ａ  突条
２８ｂ  フック
２９  指掛け
【図１】
2004231219.tif 000003
【図２】
2004231219.tif 000004
【図３】
2004231219.tif 000005
【図４】
2004231219.tif 000006
【図５】
2004231219.tif 000007
【図６】
2004231219.tif 000008
【図７】
2004231219.tif 000009